(57)【要約】  本発明は、管の外部端および内部端を清掃するための新規な工具に関する。より詳しくは、本発明は、管に行われる以降の作業に備えて、銅配管といった管の内部および外部切断端を清掃するための新規な汎用工具に関する。管端処理工具（２）は、（ａ）クランク（４）と、（ｂ）クランク（４）と関係づけられており、ソケット（６）の内部に配設された管外部清掃部材（８）を有するソケット（６）と、（ｃ）クランク（５）と関係づけられており、管の内部を清掃するために適しているブラシ（１０）とを備える。
2006511351.tif 000002
【特許請求の範囲】
【請求項１】
管端前処理工具であって、
（ａ）クランクと、
（ｂ）クランクと関係づけられており、ソケットの内部に配設された管外部清掃部材を有するソケットと、
（ｃ）クランクと関係づけられており、管の内部を清掃するために適しているブラシと
を備えた前記工具。
【請求項２】
クランクと関係づけられているハンドルを含む、請求項１記載の工具。
【請求項３】
管外部清掃部材は、ソケット内で内方に突出する複数のワイヤである、請求項１記載の工具。
【請求項４】
複数のワイヤは、ソケットの内部に嵌合する支持層に取り付けられている、請求項３記載の工具。
【請求項５】
支持層は柔軟な織布である、請求項４記載の工具。
【請求項６】
支持層はプラスチック、ゴムまたは金属である、請求項４記載の工具。
【請求項７】
ブラシは背骨に取り付けられた剛毛を有する、請求項１記載の工具。
【請求項８】
ソケットおよびブラシは、クランクが往復動方式で動かされた時にソケットおよびブラシが一方向にのみ動かされることを可能にする少なくとも１つのラチェット機構と協働する、請求項１記載の工具。
【請求項９】
ハンドルは、ソケットおよびブラシから離れた場所でクランクの本体の各側に１つずつ取り付けられた１対の回転ハンドルである、請求項２記載の工具。
【請求項１０】
ソケットは、その内部に、ソケットの軸に対しある角度でワイヤおよび支持層を保持する螺旋シムを含む、請求項４記載の工具。
【請求項１１】
穴を備えるキャップはソケットの外部に嵌合され得る、請求項１記載の工具。
【請求項１２】
ソケットおよびブラシはクランクの本体の両側で互いに整列されている、請求項１記載の工具。
【請求項１３】
ソケットおよびブラシは互いに整列されていない、請求項１記載の工具。
【請求項１４】
ソケットは、その内部に、管の端の内部を清掃するための面取り表面（ｃｈａｍｆｅｒ  ｓｕｒｆａｃｅ）を有する、請求項１記載の工具。
【請求項１５】
ソケットはその内部に、クランクハンドルを操作することによって作動するギヤの組合せによって回転させられる少なくとも１つのブラシを備える、請求項２記載の工具。
【請求項１６】
ソケットの閉端にラチェットギヤを有しており、ラチェットギヤはクランクの開口内に嵌合し、その開口はラチェットギヤと協働するラチェットつめを有する、請求項８記載の工具。
【請求項１７】
ブラシをラチェットに取り付けるためのブラシホルダを含む、請求項１０記載の工具。
【請求項１８】
ブラシホルダは、クランクの開口内に嵌合するラチェットギヤを有する、請求項１７記載の工具。
【請求項１９】
ハンドルは、クランクに接続されているロッドに回転式に取り付けられている、請求項２記載の工具。
【請求項２０】
ソケットはその内部に少なくとも１つのブラシを備えており、管端の外部への清掃作用はソケットを回転させるクランクを回転させることによって得られる、請求項２記載の工具。
【請求項２１】
面取り突出部の表面はテクスチャー加工されている、請求項１４記載の工具。
【請求項２２】
面取り突出部は、それに少なくとも１つの切削刃を有する、請求項２１記載の工具。
【請求項２３】
少なくとも１つのブラシのためにベースの中心領域に面取りした突出表面を備える、請求項１５記載の工具。
【請求項２４】
ソケットの螺旋シムは、突出ワイヤおよび支持層を所定の位置に保持するための止め具（ｓｔｏｐ）を有する、請求項１０記載の工具。
【請求項２５】
キャップはその内部に螺旋シムを有する、請求項１１記載の工具。
【請求項２６】
螺旋シムは突出ワイヤおよび支持層を所定の位置に保持するための止め具を有する、請求項２５記載の工具。
【請求項２７】
ワイヤの表面は粗面または研磨性（ａｂｒａｓｉｖｅ、研磨剤、研削材）表面を有する、請求項１０記載の工具。
【請求項２８】
支持層は、変形された時にワイヤを直立姿勢に戻す記憶機能（ｍｅｍｏｒｙ）を有する、請求項１記載の工具。
【請求項２９】
ソケットの自由端に脱着可能に取り付けられ得るスタブアウトキャップを含む、請求項１記載の工具。
【請求項３０】
スタブアウトキャップはそれに歯付き開口を有する、請求項２９記載の工具。
【請求項３１】
スタブアウトキャップは粗面または研磨性表面を有する、請求項２９記載の工具。
【発明の詳細な説明】
【技術分野】
【０００１】
本発明は、管の外部端および内部端を清掃するための新規な道具に関する。より詳しくは、本発明は、管に行われる以降の作業に備えて、銅やプラスチック配管といった管の外部および内部切断端を清掃するための新規な汎用工具に関する。
【背景技術】
【０００２】
銅配管といった管の内部端および外部端を清掃することは、管が汚れていたり油が付いていたり、または内側および／または外側に残留異物を有し得るので、普通の問題である。埃、油または残留異物は、はんだ付け、継手の取付などといった以降の作業に備えて除去されなければならない。別の問題は、管が切断工具で切断された場合に、管の内部端がばりまたは粗い縁端を有するということである。この問題は、銅管が配管工によって切断工具を用いて切断され、銅管の内部端が粗く、継手が銅管に適用され継手を銅管の端と接続するためにはんだが施用され得る前に除去されなければならない（法律によって義務づけられている場合もある）ばりを有する場合に、配管業界では一般的である。
【発明の開示】
【発明が解決しようとする課題】
【０００３】
これらの問題に対処するために多くの発明が長年にわたって開発されてきた。多くは、面倒であるか非効率的であるか、または限られた空間において使用することができない。現在に至るまで、操作が容易で、銅管の内部端および外部端を清掃する際に効率的で、信頼でき、限られた領域で使用することができる、いずれかのオールインワン型の管端処理（ｐｒｅｐａｒａｔｉｏｎ，プレパレーション、準備，前処理）工具はまったく存在していない。
【課題を解決するための手段】
【０００４】
本発明は、（ａ）クランク（ｃｒａｎｋ）と、（ｂ）クランクと関係づけられており、ソケットの内部に配設された管外部清掃部材を有するソケットと、（ｃ）クランクと関係づけられており、管の内部を清掃するために適しているブラシとを備える、管端処理工具に向けられている。工具は、クランクと関係づけられたハンドルを備え得る。
【０００５】
管外部清掃部材は、複数の内方に突出するワイヤとすることができる。ワイヤの表面は、清掃作用を高めワイヤの寿命を増大するために、刻み目を付けるか、または研磨性材料で被覆することができる。複数のワイヤは、ソケットの内部に嵌合する支持層（ｓｕｂｓｔｒａｔｅ、下地、基材、素地）上に取り付けられ得る。支持層は、柔軟な織布、プラスチック、ゴムまたは金属とすることができる。支持層は記憶を有することができ、それによりワイヤが使用により大きく曲げられた時も、支持層はワイヤを直立させるであろう。
【０００６】
ブラシは、背骨（ｓｐｉｎｅ、スパイン）に取り付けられた剛毛より構成され得る。ソケットおよびブラシは、クランクが往復動方式で動かされた時にソケットおよびブラシが一方向にのみ動かされることを可能にする、少なくとも１つのラチェット機構と協働し得る。
【０００７】
ハンドルは１対の回転ハンドルとすることができ、クランクの本体の各側に１つずつ、ソケットおよびブラシから離れた場所に取り付けられている。ソケットは、その内部に、ソケットの軸に垂直またはある角度で突出するワイヤおよび管クリーナの支持層を保持し得る螺旋表面（シム）を含み得る。
【０００８】
工具は、管案内穴をそれに備え、ソケットの開放外部に嵌合され得るキャップを含み得る。ソケットおよびブラシは、クランクの本体の両側で互いに整列され得るし、またはされなくてもよい。
【０００９】
ソケットは、その内部に、管の心合わせをし、管の端の内部を清掃するための突出した面取り表面を有し得る。ワイヤクロスに代わるものとして、ソケットはその内部に、クランクハンドルを操作することによって作動するギヤの組合せによって回転させられ得る少なくとも１つのブラシを備え得る。
【００１０】
ソケットの閉端は、そこにラチェットギヤを有することができ、ラチェットギヤは、クランクの開口内に嵌合することができ、その開口はラチェットギヤと協働するラチェットつめを有し得る。
【００１１】
工具は、ブラシをラチェットに取り付けるためのブラシホルダを含み得る。ブラシホルダは、クランクの開口内に嵌合するラチェットギヤを有し得る。ハンドルは、クランクに接続されているロッドに回転式に取り付けられ得る。ソケットおよびブラシは、共通のラチェットギヤを有し得る。
【００１２】
ソケットは、その内部に、ギヤを備えない少なくとも１つのブラシを含むことができ、管端の外部への清掃作用は、ソケットを回転させるクランクを回転させることによって得ることができる。
【００１３】
面取り突出部の表面はテクスチャー加工（ｔｅｘｔｕｒｅ、織り目をつける）され得る。工具は、１つ以上ブラシのために底部の中心領域に面取りした突出表面を備え得る。ソケットの螺旋シム（ｓｐｉｒａｌ  ｓｈｉｍ）は、突出ワイヤおよび支持層（ワイヤクロス）を適位置に保持するための止め具を有し得る。キャップはまた、その内部に、ソケットの螺旋シムに対応する螺旋シムおよび止め具を有し得る。
【００１４】
工具は、壁張用材（ｗａｌｌｂｏａｒｄ、壁板）壁構造のパイプ・スタブアウト（ｓｔｕｂ−ｏｕｔ，スタブ、突出管、ぶつける、〜を引き抜く、根こそぎにする、もみ消す）から凝固したスパックル（ｓｐａｃｋｌｅ）、プラスター（ｐｌａｓｔｅｒ、石膏、漆喰、壁土）および泥を清掃するために使用され得る脱着可能スタブアウト・キャップを含み得る。スタブアウトキャップは、スタブアウトに被せて入れ硬化したプラスターを除去するための粗面開口および粗面ボアを有し得る。
【発明を実施するための最良の形態】
【００１５】
図面は、本発明の特定の実施形態を例証するが、いかなる点でも本発明の精神または範囲を制限するものとして解釈してはならない。
【００１６】
以下の説明全体を通じて、本発明のより完全な理解をもたらすために特定の詳細について述べる。しかし、本発明は、これらの細目を伴うことなく実施され得る。他の場合において、公知の要素は、本発明を不必要に曖昧にすることを避けるために図示または詳述されていない。従って、明細書および図面は、限定的意味よりもむしろ例示的意味で考慮されるべきである。
【００１７】
図面に言及して、図１は、本発明に従った管端処理工具の第１の実施形態の等角図を例示している。図１に見られるように、管端処理工具２の第１の実施形態は、大形端部の両側において、カードクロス８を収容している雌ソケット６および、反対側に雄ブラシ１０を保持する、細長いクランク４より構成されている。クランク４の反対の小形端部は、両側に１対のクランクハンドル１２および１６を保持しており、それらはシャフト１４に回転式に取り付けられている。雌ソケット６の内部のカードクロス（ｃａｒｄ  ｃｌｏｔｈ）８は、柔軟性支持層に平行またはランダムな列で配列された大多数の径方向内方に突出するワイヤを備える。支持層は、織布、プラスチックまたは金属とすることができる。カードクロス８は、ソケット６の内部を覆っている。図１では見えないが、ソケット６およびブラシ１０は、クランク４との各自の接合部でラチェットに取り付けられており、ラチェットは、ソケット６およびブラシ１０が、クランクハンドル１２および１６のどちらか一方を握り、クランク４を往復動方式で動かすことによって所望の一方向にのみ回転させられ得る。ハンドル１２および１６の対は、使用者が工具２のどちら側でも把持することを可能にする。
【００１８】
図２は、管端処理工具のクランク部分の等角図である。図２に見られるように、クランク４は、一方の大形端部にソケット開口１８を有しており、反対側の小形端部には回転シャフト開口２２を有する。開口１８の内部のラチェットつめ２０は、ラチェットギヤ（図示されていないが、図６、７および８を参照）に作用し、クランク４がクランクを前後に動かすことによって所望の一方向にソケット６またはブラシ１０を動かすことを可能にする。
【００１９】
図３は、管端処理工具のクランクの平面図である。図３に見られるように、クランク４は、その一方の大形端部に、内方に突出するラチェットつめ２０を備える円形のソケットおよびブラシ受け入れ開口１８を有し、反対側の小形端部には、ハンドル１２および１６の対の回転シャフト１４を収容するための円形開口２２を有する。
【００２０】
図４は、ソケット開口１８、ブラシラチェットつめ２０およびシャフト開口２２を備える管端処理工具のクランク４の立面図である。完全さのために、図５は管端処理工具のクランク４の端面図である。
【００２１】
図６は、管端処理工具のソケットの立面図である。図６に見られるように、雌ソケット６は、それが底部にラチェットギヤ２４を有し、またその内部に、取付ピン受け口２８および、カードクロス８（図示せず）をある角度で配備する螺旋シム２６を有するように構成されている。カードクロス８がソケット６の内部の周囲にある角度で配備された場合、清掃される管の外部に対しより良好な清掃作用が達成されるということが意外にも発見された。これはたぶん、カードクロス８に角度を付けることによって、内方に垂直または傾斜して突出するワイヤの列の間の空白が、ソケット６の内部の周囲で整列しないという事実によるものである。図６はまた、管の端を位置合わせする上ばかりでなく、管の端からばりなどを除去する上でも助成する、上方に突出する管面取り部５４を図示している。
【００２２】
図７は、管端処理工具のソケットの側面図である。図８は、管端処理工具のソケットの平面図である。図９は、図８のソケットの断面図Ａ−Ａである。特に図８に見られるように、雌ソケット６は、それがその底部端に、一方向に角度が付けられている一連のラチェットギヤ２４を有するように構成されている。ラチェットギヤ２４がソケット開口１８の内部に配置されると（図２および３を参照）、それらはラチェットつめ２０と協働して、クランク４が使用者によって往復動式に動かされた時に、単方向ラチェット作用を付与する。ソケット６は、カードクロスを固定し、それが動くのを防ぐ内部止め具２７を有する。
【００２３】
図１０は、管端処理工具のブラシホルダの立面図である。図１０に見られるように、ブラシホルダ３０は、その頂端にラチェットギヤ３２および取付ピン３４を保持する。ブラシ１０（図１を参照）は、図１０には示されていない。しかし、ブラシはホルダ３０の底部の開口に保持される。ピン３４は、ソケット６（図６〜９を参照）の受け口２８の内部に嵌合する。ラチェットギヤ３２は、クランク４のラチェットつめ２０と協働して、ブラシ１０がクランク４を往復動方式で操作することによって所要の方向で回転することを可能にする。
【００２４】
図１１は、管端処理工具のブラシホルダの側面図である。図１２は、管端処理工具のブラシホルダの平面図である。図１３は、図１２のブラシホルダの断面図Ａ−Ａである。
【００２５】
図１４は、管端処理工具の管ガイドキャップの立面図である。図１５は、管端処理工具の管ガイドキャップの側面図である。図１６は、管端処理工具の管ガイドキャップの平面図である。図１７は、処理工具の管ガイドキャップの等角図である。これらの図に見られるように、管ガイドキャップ３６は、キャップ３６が、ソケット６の螺旋シム２６（図６を参照）と協働する角度でカードクロス８を保持することを可能にする内部螺旋シム３８を備えている。キャップ３６はまた、カードクロス８を固定しそれが回転するのを防ぐ止め具３７を有する。管ガイドキャップは、図１９に見られるように、ソケット６の開口にねじ込まれるか、またはスナップ嵌めされ得る。管ガイドキャップ３６は、端に開口３９を有する（図１６および１７を参照）。この開口３９は、管の端をソケット６の内部および面取り突出部５４に案内する働きをする。
【００２６】
図１８は、管端処理工具の両側で整列したソケットおよびブラシの断面図である。図１８に見られるように、雌ソケット６は、その内部円周に、柔軟な織物、プラスチック、ゴムまたは金属から形成され得る支持層５１を備えるカードクロス５０を保持する。カードクロス５０のワイヤは、径方向内方に突出し、管端がソケットの内部４８に挿入された時に、清掃される管の外部を清掃する目的を果たす。ソケットの内部４８はまた、管の端を把持し、かつ／またはばりを清掃するための管面取り部５４を有し、これは管の端の内部からのテクスチャー加工表面を有しても、または有していなくてもよい。切削刃が、ばり取り表面に代えて管面取り部５４に代用され得る。キャップ３６（図１４〜１７を参照）は、ソケット６の自由端に螺合またはスナップ嵌めされ、開口３９によってソケット６の内部への管ガイドを付与する。また、図１８では、ラチェットギヤ２４、ブラシホルダ３０およびブラシ１０が単一の組であることがわかる。ブラシ１０は、剛毛を保持するブラシ背骨５８を有する。
【００２７】
ワイヤ４９の表面は、ワイヤ４９の清掃作用を高めるために、粗面にするか、または米国特許第５，９９６，１９４号に開示されたような硬質研摩材で被覆することができる。支持層５１は、ポリ塩化ビニルプラスチックまたはゴムといった記憶を有する材料から形成され得て、それによりワイヤ４９は使用による屈曲後に直立姿勢に戻る。
【００２８】
図１９は、管端処理工具のソケットの内部螺旋シムの等角図である。図１９は、ソケット６の内部の螺旋シム２６を例示するために役立つ。螺旋シム２６は、前述の通り、ソケット６の内部に案内される管の外部表面に対し優れた清掃作用を付与することが意外にも判明した角度で、カードクロス（図示せず）を保持する。図１９はまた、カードクロスがソケット６内で動くのを防ぐ止め具２７を例示している。
【００２９】
図２０は、管端処理工具のソケットの反対側の等角図である。図２１は、角度を付けられたカードクロス５０および螺旋シム２６を備える管端処理工具のソケット４８の断面図である。図２１に見られるように、カードクロス８は、螺旋シム２６によって決定される通り、ある角度でソケット６の内部の円周の周囲に取り付けられる。図２０はまた、平滑面または粗面もしくは研磨性表面のどちらか一方を有し得る、面取り突出部５４を例示している。後者は、把持および清掃作用を助成する。
【００３０】
図２２は、１つのハンドルを備える管端処理工具の第２の実施形態の等角図である。図２２に見られるように、管端処理工具の代替実施形態は、クランク本体４２、管の外部端を清掃するための雌ソケット４０、および管の内部端を清掃するための雄ブラシ４４を備える。ソケット４０およびブラシ４４は整列しておらず、それは特定の状況において有用となり得る。図２２に例示された管端処理工具は、１つだけのハンドル４６を有しており、それは特定の例において好適となり得る。図２２では見えないが、ソケット４０およびブラシ４４の一方または両方は、同一または別個のラチェットギヤ機構に取り付けられており、前述の通り、使用者がクランク４２およびハンドル４６を往復動方式で操作することによって、ソケット４０およびブラシ４４が一方向にのみ回転することを可能にする。
【００３１】
図２３は、管端処理工具の雌ソケットに挿入用の三ブラシヘッダを備える本発明のさらなる実施形態の等角図である。図２３に見られるように、三重ブラシ組合せ６４は、ソケットに挿入される管の外部表面に清掃作用を付与するためにソケットの内部に取り付けられ得る。図２３は、クランク（図示せず）によって回転させられた時に、ブラシ６４の組の各々の底部でそれぞれのギヤ６６とかみ合い、それに応じてブラシを回転させる、管面取り部５４およびマスターギヤ６０を例示している。ブラシ６４の３個組は、カードクロスに代わり、特殊な清掃のために一部の例で好適となり得る。必ずしも３つのブラシではなく、任意の数のブラシが使用され得ることが理解されるであろう。ソケットの横断面は円形である必要はないことも理解されるであろう。それは、三角形または、ブラシに適応するいずれかの他の形状であり得る。
【００３２】
図２４は、図２３または図２５の三ブラシヘッダが嵌合するソケットの等角図である。図２４に見られるように、ソケット７０は、内部螺旋シム２６または管面取り部５４がまったく存在しない点を除き、図１９のソケット６と構成上類似である。従って、三ブラシ組合せ６４は、ソケット７０にきちんと嵌合し得る。キーまたはいずれかの他の固定装置が、ソケット７０においてブラシヘッダ組合せ６４を安定させるために使用され得る。
【００３３】
図２５は、回転ギヤを備えない三ブラシヘッダ７４の実施形態の等角図である。この実施形態に関し、３つのブラシ７２はソケット７０内で静止しており、外部管清掃作用は、ソケット７０（図２４を参照）を回転させることによって得られる。回転ギヤのないブラシヘッダ７４は、管端をブラシヘッダ７４の中心に維持する中心突出ガイド７６を有する。ガイド７６は、管の端の内部を清掃するテクスチャー加工表面を有し得る。
【００３４】
図２６は、脱着可能スタブアウトクリーニングキャップ（ｓｔｕｂ  ｏｕｔ  ｃｌｅａｎｉｎｇ  ｃａｐ）が取り付けられた管端処理工具のソケットの等角図である。図２７は、スタブアウトクリーニングキャップの平面図である。図２８は、図２７のＡ−Ａに沿って得られるスタブアウトクリーニングキャップの断面図である。
【００３５】
図２６に見られるように、スタブアウトキャップ７４は、ソケット６の自由端に被さり嵌合する。スタブアウトは、壁が壁張用材（ｗａｌｌｂｏａｒｄ、壁板）およびプラスターで仕上げられる前に配管が壁に据え付けられる場合に、配管工によって形成される突出パイプである。プラスターはスタブアウトの外部上に落滴する傾向があり、硬化後に拭き取ることが難しい。適切な場合、キャップ７４はソケット６の自由端にねじ込まれ得る。スタブアウトキャップ７４は、スタブの外部から硬化した泥およびプラスターを清掃するために使用され得るローレット切りされた、または粗面にされた表面７６を有する。キャップ７４はまた、スタブの外部から硬化したプラスターを拭き取る際に助成する歯付き内部ボア７８を有する。
【００３６】
上述の開示に照らして当業者には明白である通り、多くの変更および修正が、その精神または範囲を逸脱することなく本発明の実施において可能である。従って、本発明の範囲は、以下の請求項によって規定される内容に従って解釈されるべきである。
【図面の簡単な説明】
【００３７】
【図１】本発明に従った管端処理工具の第１の実施形態の等角図である。
【図２】管端処理工具のクランク部分の等角図である。
【図３】管端処理工具のクランクの平面図である。
【図４】管端処理工具のクランクの立面図である。
【図５】管端処理工具のクランクの端面図である。
【図６】管端処理工具のソケットの立面図である。
【図７】管端処理工具のソケットの側面図である。
【図８】管端処理工具のソケットの平面図である。
【図９】図８に図示されたソケットの断面図Ａ−Ａである。
【図１０】管端処理工具のブラシホルダの立面図である。
【図１１】管端処理工具のブラシホルダの側面図である。
【図１２】管端処理工具のブラシホルダの平面図である。
【図１３】図１２に図示されたブラシホルダの断面図Ａ−Ａである。
【図１４】管端処理工具の管ガイドキャップの立面図である。
【図１５】管端処理工具の管ガイドキャップの側面図である。
【図１６】管端処理工具の管ガイドキャップの平面図である。
【図１７】処理工具の管ガイドキャップの等角図である。
【図１８】管端処理工具の整列したソケットおよびブラシの第３の実施形態の断面図である。
【図１９】管端処理工具のソケットの内部螺旋シムの等角図である。
【図２０】管端処理工具のソケットの反対側の等角図である。
【図２１】角度を付けられたカードクロスおよび螺旋シムを備える管端処理工具のソケットの断面図である。
【図２２】１つのハンドルを備える管端処理工具の第２の実施形態の等角図である。
【図２３】管端処理工具の雌ソケットに挿入用の三ブラシヘッダを備える本発明の第４の実施形態の等角図である。
【図２４】図２３の三ブラシヘッダが嵌合するソケットの等角図である。
【図２５】ギヤを備えない三ブラシヘッダの実施形態の等角図である。
【図２６】脱着可能スタブアウトクリーニングキャップが取り付けられた管端処理工具のソケットの等角図である。
【図２７】スタブアウトクリーニングキャップの平面図である。
【図２８】図２７のＡ−Ａに沿って得られるスタブアウトクリーニングキャップの断面図である。
【符号の説明】
【００３８】
２  管端処理工具
４、４２  クランク
６、４０、７０  ソケット
８、５０  カードクロス
１０、４４、７２  ブラシ
１２  クランクハンドル
１４  シャフト
１８  ソケット開口
２０  ラチェットつめ
２２  シャフト開口
２４、３２  ラチェットギヤ
２６  螺旋シム
２７、３７  止め具
２８  取付ピン受け口
３０  ブラシホルダ
３４  取付ピン
３６  管ガイドキャップ
３８  内部螺旋シム
３９  開口
４６  ハンドル
４８  ソケット内部
４９  ワイヤ
５１  支持層
５４  面取り突出部
５８  ブラシ背骨
６０  マスターギヤ
６４  三ブラシ組合せ
６６  ギヤ
７１  ブラシヘッダ
７４  スタブアウトクリーニングキャップ
７６  ガイド
７８  歯付き内部ボア
【図１】
2006511351.tif 000003
【図２】
2006511351.tif 000004
【図３】
2006511351.tif 000005
【図４】
2006511351.tif 000006
【図５】
2006511351.tif 000007
【図６】
2006511351.tif 000008
【図７】
2006511351.tif 000009
【図８】
2006511351.tif 000010
【図９】
2006511351.tif 000011
【図１０】
2006511351.tif 000012
【図１１】
2006511351.tif 000013
【図１２】
2006511351.tif 000014
【図１３】
2006511351.tif 000015
【図１４】
2006511351.tif 000016
【図１５】
2006511351.tif 000017
【図１６】
2006511351.tif 000018
【図１７】
2006511351.tif 000019
【図１８】
2006511351.tif 000020
【図１９】
2006511351.tif 000021
【図２０】
2006511351.tif 000022
【図２１】
2006511351.tif 000023
【図２２】
2006511351.tif 000024
【図２３】
2006511351.tif 000025
【図２４】
2006511351.tif 000026
【図２５】
2006511351.tif 000027
【図２６】
2006511351.tif 000028
【図２７】
2006511351.tif 000029
【図２８】
2006511351.tif 000030
【手続補正書】
【提出日】平成16年4月29日(2004.4.29)
【手続補正１】
【補正対象書類名】特許請求の範囲
【補正対象項目名】全文
【補正方法】変更
【補正の内容】
【特許請求の範囲】
【請求項１】
管端処理工具であって、
（ａ）クランク（４）と、
（ｂ）クランク（４）と関係づけられており、ソケットの内部に配設された複数の内方に突出するワイヤを備える柔軟な脱着可能な支持層（８）を含む管外部清掃部材を有するソケット（６）と、
（ｃ）クランク（４）と関係づけられており、管の内部を清掃するために適しているブラシ（１０）と
を備えた前記工具。
【請求項２】
クランクと回転式に関係づけられているハンドル（１２）を含む、請求項１記載の工具。
【請求項３】
支持層（８）は柔軟な織布である、請求項１記載の工具。
【請求項４】
支持層（８）はプラスチック、ゴムまたは金属である、請求項１記載の工具。
【請求項５】
ブラシ（１０）は背骨に取り付けられた剛毛を有する、請求項１記載の工具。
【請求項６】
ソケット（６）およびブラシ（１０）は、クランク（４）が往復動方式で動かされた時にソケットおよびブラシが一方向にのみ動かされることを可能にする少なくとも１つのラチェット機構（２０）と協働する、請求項１記載の工具。
【請求項７】
ハンドルは、ソケットおよびブラシから離れた場所でクランクの本体の各側に１つずつ取り付けられた１対の回転ハンドル（１２、１６）である、請求項２記載の工具。
【請求項８】
ソケット（６）は、その内部に、ソケット（６）の軸に対しある角度でワイヤおよび支持層を保持する螺旋シム（２６）を含む、請求項１記載の工具。
【請求項９】
穴を備えるキャップ（３６）を含み、そのキャップはソケットの外部に嵌合され得る、請求項１記載の工具。
【請求項１０】
ソケット（６）およびブラシ（１０）はクランク（４）の本体の両側で互いに整列されている、請求項１記載の工具。
【請求項１１】
ソケット（６）およびブラシ（１０）は互いに整列されていない、請求項１記載の工具。
【請求項１２】
ソケット（６）は、その内部に、管の端の内部を清掃するための面取り表面（ｃｈａｍｆｅｒ  ｓｕｒｆａｃｅ）（５４）を有する、請求項１記載の工具。
【請求項１３】
ソケット（６）はその内部に、クランクハンドル（４）を操作することによって作動するギヤの組合せによって回転させられる少なくとも１つのブラシ（６４）を備える、請求項２記載の工具。
【請求項１４】
ソケットの閉端にラチェットギヤ（２０）を有しており、ラチェットギヤはクランクの開口内に嵌合し、その開口はラチェットギヤと協働するラチェットつめを有する、請求項６記載の工具。
【請求項１５】
ブラシをラチェットに取り付けるためのブラシホルダ（３０）を含む、請求項１４記載の工具。
【請求項１６】
ブラシホルダ（３０）は、クランクの開口内に嵌合するラチェットギヤを有する、請求項１５記載の工具。
【請求項１７】
ハンドル（１２）は、クランクに接続されているロッドに回転式に取り付けられている、請求項２記載の工具。
【請求項１８】
ソケット（６）はその内部に少なくとも１つのブラシ（６４）を備えており、管端の外部への清掃作用はソケットを回転させるクランクを回転させることによって得られる、請求項２記載の工具。
【請求項１９】
面取り突出部（５４）の表面はテクスチャー加工されている、請求項１２記載の工具。
【請求項２０】
面取り突出部（５４）は、それに少なくとも１つの切削刃を有する、請求項１９記載の工具。
【請求項２１】
少なくとも１つのブラシのためにベースの中心領域に面取りした突出表面を備える、請求項１３記載の工具。
【請求項２２】
ソケットの螺旋シムは、突出ワイヤおよび支持層を所定の位置に保持するための止め具（ｓｔｏｐ）（２７）を有する、請求項８記載の工具。
【請求項２３】
キャップ（３６）はその内部に螺旋シムを有する、請求項９記載の工具。
【請求項２４】
螺旋シムは突出ワイヤおよび支持層を所定の位置に保持するための止め具（３７）を有する、請求項２３記載の工具。
【請求項２５】
ワイヤの表面は粗面または研磨性（ａｂｒａｓｉｖｅ、研磨剤、研削材）表面を有する、請求項１記載の工具。
【請求項２６】
支持層（８）は、変形された時にワイヤを直立姿勢に戻す記憶機能（ｍｅｍｏｒｙ）を有する、請求項１記載の工具。
【請求項２７】
ソケットの自由端に脱着可能に取り付けられ得るスタブアウトキャップ（７４）を含む、請求項１記載の工具。
【請求項２８】
スタブアウトキャップ（７４）はそれに歯付き開口を有する、請求項２７記載の工具。
【請求項２９】
スタブアウトキャップ（７４）は粗面または研磨性表面を有する、請求項２７記載の工具。
【手続補正書】
【提出日】平成17年3月2日(2005.3.2)
【手続補正１】
【補正対象書類名】明細書
【補正対象項目名】全文
【補正方法】変更
【補正の内容】
【発明の詳細な説明】
【技術分野】
【０００１】
本発明は、管の外部端および内部端を清掃するための新規な道具に関する。より詳しくは、本発明は、管に行われる以降の作業に備えて、銅やプラスチック配管といった管の外部および内部切断端を清掃するための新規な汎用工具に関する。
【背景技術】
【０００２】
銅配管といった管の内部端および外部端を清掃することは、管が汚れていたり油が付いていたり、または内側および／または外側に残留異物を有し得るので、普通の問題である。埃、油または残留異物は、はんだ付け、継手の取付などといった以降の作業に備えて除去されなければならない。別の問題は、管が切断工具で切断された場合に、管の内部端がばりまたは粗い縁端を有するということである。この問題は、銅管が配管工によって切断工具を用いて切断され、銅管の内部端が粗く、継手が銅管に適用され継手を銅管の端と接続するためにはんだが施用され得る前に除去されなければならない（法律によって義務づけられている場合もある）ばりを有する場合に、配管業界では一般的である。
【発明の開示】
【発明が解決しようとする課題】
【０００３】
これらの問題に対処するために多くの発明が長年にわたって開発されてきた。多くは、面倒であるか非効率的であるか、または限られた空間において使用することができない。現在に至るまで、操作が容易で、銅管の内部端および外部端を清掃する際に効率的で、信頼でき、限られた領域で使用することができる、いずれかのオールインワン型の管端処理（ｐｒｅｐａｒａｔｉｏｎ，プレパレーション、準備，前処理）工具はまったく存在していない。
国際公開第ＷＯ０１／０５５２５Ａ１号パンフレットは、パイプ端が工具の一端の雌または雄ブラシと係合し、他方端は、パイプ端の容易な清掃を可能にする回転自転車こぎ運動を許す把持可能部材を有する手工具を開示している。変更例は、ある角度でのパイプ端の清掃を可能にするために当該端間にヒンジを備えるか、またはラチェット形式のものを含む。
米国特許第４，８６２，５４９号は、パイプまたは管を清掃するための装置および、はんだ付けまたはろう接合の前に継手の清掃用の内部ブラシおよび管またはパイプの清掃用の外部ブラシより構成される継手を開示している。両方のブラシとも単一の工具に設けられており、それにより管または継手のどちらかが、工具を変えるかまたは逆にすることなく清掃され得る。駆動ソケットがブラシホルダシェルに設けられており、工具の容易な交換可能性および、手動または電動駆動動作間での駆動手段の容易な選択を可能にする。一揃いの駆動アダプタが提供される。
米国特許第５，７９１，００５号は、管、パイプまたは継手の端の外面を乱切し、管、パイプまたは継手の端といった開放円筒端を有する部材の内面を乱切しばり取りするように適応された乱切・ばり取り工具を開示している。工具は、ハンドルの反対端から延出する２つの内面乱切ブラシを備える細長く輪郭造形された（ｃｏｎｔｏｕｒｅｄ，手になじむ形状にされた）ハンドルを含む。ハンドルは、ハンドルの離隔された貫通孔に支持された２つの外面乱切ブラシを備える。ばり取りプレートが、ハンドルの片側に固定されており、それぞれの貫通孔と整列されそれらの中に延出する内方に傾斜したばり取りスクレーパを備える。管、パイプまたは継手の端が貫通孔に挿入され、対応するスクレーパに接して着座すると、端は、管、パイプまたは継手が工具に対して回転された時に、ばりが除去される。ばり取りプレートは、“Ｂ”形式アセチレンタンクを開閉するためのキーとして機能する開口を備える。
米国特許第５，０５８，３２７号は、ワイヤ剛毛スリーブの１つと合致する寸法の銅管の端が嵌合でき、ハウジングがその周りで回転させられた時に銅管の端の外面が清掃されるのを可能にする、３つの異なる寸法のワイヤ剛毛スリーブを各脚に保持するＴ形ハウジングより構成される管・継手ストリッパを開示している。円錐形ワイヤブラシが中心脚の反対側でハウジングから延出しており、それにより円錐形ワイヤブラシは、ハウジングがその周りで回転させられた時に、清掃する陥凹開口に嵌合することができる。保護スリーブが円錐形ワイヤブラシの上に脱着可能にハウジングに取り付けられており、それにより銅管の端は円錐形スリーブ上でスリーブに嵌合することができ、保護スリーブが前記ハウジングに取り付けられた位置に保持されたたままハウジングがその周りで回転させられた時に銅管の端の内面を清掃することができる。
米国特許第２，３８３，４６４号は、二重用途工具を、より詳細には、一端にコネクタのソケットと係合するように適応された研磨性プラグおよび、その他方端にコネクタのピンを受け入れるように適応された研磨性ソケットを有するクランク形状の本体部材を備える、２部品電気コネクタを清掃するための研磨工具を開示している。
【課題を解決するための手段】
【０００４】
本発明は、（ａ）クランク（ｃｒａｎｋ）と、（ｂ）クランクと関係づけられており、ソケットの内部に配設された管外部清掃部材を有するソケットと、（ｃ）クランクと関係づけられており、管の内部を清掃するために適しているブラシとを備える、管端処理工具に向けられている。工具は、クランクと関係づけられたハンドルを備え得る。
【０００５】
管外部清掃部材は、複数の内方に突出するワイヤとすることができる。ワイヤの表面は、清掃作用を高めワイヤの寿命を増大するために、刻み目を付けるか、または研磨性材料で被覆することができる。複数のワイヤは、ソケットの内部に嵌合する支持層（ｓｕｂｓｔｒａｔｅ、下地、基材、素地）上に取り付けられ得る。支持層は、柔軟な織布、プラスチック、ゴムまたは金属とすることができる。支持層は記憶を有することができ、それによりワイヤが使用により大きく曲げられた時も、支持層はワイヤを直立させるであろう。
【０００６】
ブラシは、背骨（ｓｐｉｎｅ、スパイン）に取り付けられた剛毛より構成され得る。ソケットおよびブラシは、クランクが往復動方式で動かされた時にソケットおよびブラシが一方向にのみ動かされることを可能にする、少なくとも１つのラチェット機構と協働し得る。
【０００７】
ハンドルは１対の回転ハンドルとすることができ、クランクの本体の各側に１つずつ、ソケットおよびブラシから離れた場所に取り付けられている。ソケットは、その内部に、ソケットの軸に垂直またはある角度で突出するワイヤおよび管クリーナの支持層を保持し得る螺旋表面（シム）を含み得る。
【０００８】
工具は、管案内穴をそれに備え、ソケットの開放外部に嵌合され得るキャップを含み得る。ソケットおよびブラシは、クランクの本体の両側で互いに整列され得るし、またはされなくてもよい。
【０００９】
ソケットは、その内部に、管の心合わせをし、管の端の内部を清掃するための突出した面取り表面を有し得る。ワイヤクロスに代わるものとして、ソケットはその内部に、クランクハンドルを操作することによって作動するギヤの組合せによって回転させられ得る少なくとも１つのブラシを備え得る。
【００１０】
ソケットの閉端は、そこにラチェットギヤを有することができ、ラチェットギヤは、クランクの開口内に嵌合することができ、その開口はラチェットギヤと協働するラチェットつめを有し得る。
【００１１】
工具は、ブラシをラチェットに取り付けるためのブラシホルダを含み得る。ブラシホルダは、クランクの開口内に嵌合するラチェットギヤを有し得る。ハンドルは、クランクに接続されているロッドに回転式に取り付けられ得る。ソケットおよびブラシは、共通のラチェットギヤを有し得る。
【００１２】
ソケットは、その内部に、ギヤを備えない少なくとも１つのブラシを含むことができ、管端の外部への清掃作用は、ソケットを回転させるクランクを回転させることによって得ることができる。
【００１３】
面取り突出部の表面はテクスチャー加工（ｔｅｘｔｕｒｅ、織り目をつける）され得る。工具は、１つ以上ブラシのために底部の中心領域に面取りした突出表面を備え得る。ソケットの螺旋シム（ｓｐｉｒａｌ  ｓｈｉｍ）は、突出ワイヤおよび支持層（ワイヤクロス）を適位置に保持するための止め具を有し得る。キャップはまた、その内部に、ソケットの螺旋シムに対応する螺旋シムおよび止め具を有し得る。
【００１４】
工具は、壁張用材（ｗａｌｌｂｏａｒｄ、壁板）壁構造のパイプ・スタブアウト（ｓｔｕｂ−ｏｕｔ，スタブ、突出管、ぶつける、〜を引き抜く、根こそぎにする、もみ消す）から凝固したスパックル（ｓｐａｃｋｌｅ）、プラスター（ｐｌａｓｔｅｒ、石膏、漆喰、壁土）および泥を清掃するために使用され得る脱着可能スタブアウト・キャップを含み得る。スタブアウトキャップは、スタブアウトに被せて入れ硬化したプラスターを除去するための粗面開口および粗面ボアを有し得る。
【発明を実施するための最良の形態】
【００１５】
図面は、本発明の特定の実施形態を例証するが、いかなる点でも本発明の精神または範囲を制限するものとして解釈してはならない。
【００１６】
以下の説明全体を通じて、本発明のより完全な理解をもたらすために特定の詳細について述べる。しかし、本発明は、これらの細目を伴うことなく実施され得る。他の場合において、公知の要素は、本発明を不必要に曖昧にすることを避けるために図示または詳述されていない。従って、明細書および図面は、限定的意味よりもむしろ例示的意味で考慮されるべきである。
【００１７】
図面に言及して、図１は、本発明に従った管端処理工具の第１の実施形態の等角図を例示している。図１に見られるように、管端処理工具２の第１の実施形態は、大形端部の両側において、カードクロス８を収容している雌ソケット６および、反対側に雄ブラシ１０を保持する、細長いクランク４より構成されている。クランク４の反対の小形端部は、両側に１対のクランクハンドル１２および１６を保持しており、それらはシャフト１４に回転式に取り付けられている。雌ソケット６の内部のカードクロス（ｃａｒｄ  ｃｌｏｔｈ）８は、柔軟性支持層に平行またはランダムな列で配列された大多数の径方向内方に突出するワイヤを備える。支持層は、織布、プラスチックまたは金属とすることができる。カードクロス８は、ソケット６の内部を覆っている。図１では見えないが、ソケット６およびブラシ１０は、クランク４との各自の接合部でラチェットに取り付けられており、ラチェットは、ソケット６およびブラシ１０が、クランクハンドル１２および１６のどちらか一方を握り、クランク４を往復動方式で動かすことによって所望の一方向にのみ回転させられ得る。ハンドル１２および１６の対は、使用者が工具２のどちら側でも把持することを可能にする。
【００１８】
図２は、管端処理工具のクランク部分の等角図である。図２に見られるように、クランク４は、一方の大形端部にソケット開口１８を有しており、反対側の小形端部には回転シャフト開口２２を有する。開口１８の内部のラチェットつめ２０は、ラチェットギヤ（図示されていないが、図６、７および８を参照）に作用し、クランク４がクランクを前後に動かすことによって所望の一方向にソケット６またはブラシ１０を動かすことを可能にする。
【００１９】
図３は、管端処理工具のクランクの平面図である。図３に見られるように、クランク４は、その一方の大形端部に、内方に突出するラチェットつめ２０を備える円形のソケットおよびブラシ受け入れ開口１８を有し、反対側の小形端部には、ハンドル１２および１６の対の回転シャフト１４を収容するための円形開口２２を有する。
【００２０】
図４は、ソケット開口１８、ブラシラチェットつめ２０およびシャフト開口２２を備える管端処理工具のクランク４の立面図である。完全さのために、図５は管端処理工具のクランク４の端面図である。
【００２１】
図６は、管端処理工具のソケットの立面図である。図６に見られるように、雌ソケット６は、それが底部にラチェットギヤ２４を有し、またその内部に、取付ピン受け口２８および、カードクロス８（図示せず）をある角度で配備する螺旋シム２６を有するように構成されている。カードクロス８がソケット６の内部の周囲にある角度で配備された場合、清掃される管の外部に対しより良好な清掃作用が達成されるということが意外にも発見された。これはたぶん、カードクロス８に角度を付けることによって、内方に垂直または傾斜して突出するワイヤの列の間の空白が、ソケット６の内部の周囲で整列しないという事実によるものである。図６はまた、管の端を位置合わせする上ばかりでなく、管の端からばりなどを除去する上でも助成する、上方に突出する管面取り部５４を図示している。
【００２２】
図７は、管端処理工具のソケットの側面図である。図８は、管端処理工具のソケットの平面図である。図９は、図８のソケットの断面図Ａ−Ａである。特に図８に見られるように、雌ソケット６は、それがその底部端に、一方向に角度が付けられている一連のラチェットギヤ２４を有するように構成されている。ラチェットギヤ２４がソケット開口１８の内部に配置されると（図２および３を参照）、それらはラチェットつめ２０と協働して、クランク４が使用者によって往復動式に動かされた時に、単方向ラチェット作用を付与する。ソケット６は、カードクロスを固定し、それが動くのを防ぐ内部止め具２７を有する。
【００２３】
図１０は、管端処理工具のブラシホルダの立面図である。図１０に見られるように、ブラシホルダ３０は、その頂端にラチェットギヤ３２および取付ピン３４を保持する。ブラシ１０（図１を参照）は、図１０には示されていない。しかし、ブラシはホルダ３０の底部の開口３１に保持される。ピン３４は、ソケット６（図６〜９を参照）の受け口２８の内部に嵌合する。ラチェットギヤ３２は、クランク４のラチェットつめ２０と協働して、ブラシ１０がクランク４を往復動方式で操作することによって所要の方向で回転することを可能にする。
【００２４】
図１１は、管端処理工具のブラシホルダの側面図である。図１２は、管端処理工具のブラシホルダの平面図である。図１３は、図１２のブラシホルダの断面図Ａ−Ａである。
【００２５】
図１４は、管端処理工具の管ガイドキャップの立面図である。図１５は、管端処理工具の管ガイドキャップの側面図である。図１６は、管端処理工具の管ガイドキャップの平面図である。図１７は、処理工具の管ガイドキャップの等角図である。これらの図に見られるように、管ガイドキャップ３６は、キャップ３６が、ソケット６の螺旋シム２６（図６を参照）と協働する角度でカードクロス８を保持することを可能にする内部螺旋シム３８を備えている。キャップ３６はまた、カードクロス８を固定しそれが回転するのを防ぐ止め具３７を有する。管ガイドキャップは、図１８に見られるように、ソケット６の開口にねじ込まれるか、またはスナップ嵌めされ得る。管ガイドキャップ３６は、端に開口３９を有する（図１６および１７を参照）。この開口３９は、管の端をソケット６の内部および面取り突出部５４に案内する働きをする。
【００２６】
図１８は、管端処理工具の両側で整列したソケットおよびブラシの断面図である。図１８に見られるように、雌ソケット６は、その内部円周に、柔軟な織物、プラスチック、ゴムまたは金属から形成され得る支持層５１を備えるカードクロス５０を保持する。カードクロス５０のワイヤは、径方向内方に突出し、管端がソケットの内部４８に挿入された時に、清掃される管の外部を清掃する目的を果たす。ソケットの内部４８はまた、管の端を把持し、かつ／またはばりを清掃するための管面取り部５４を有し、これは管の端の内部からのテクスチャー加工表面を有しても、または有していなくてもよい。切削刃が、ばり取り表面に代えて管面取り部５４に代用され得る。キャップ３６（図１４〜１７を参照）は、ソケット６の自由端に螺合またはスナップ嵌めされ、開口３９によってソケット６の内部への管ガイドを付与する。また、図１８では、ラチェットギヤ２４、ブラシホルダ３０およびブラシ１０が単一の組であることがわかる。ブラシ１０は、剛毛を保持するブラシ背骨５８を有する。
【００２７】
ワイヤ４９の表面は、ワイヤ４９の清掃作用を高めるために、粗面にするか、または米国特許第５，９９６，１９４号に開示されたような硬質研摩材で被覆することができる。支持層５１は、ポリ塩化ビニルプラスチックまたはゴムといった記憶を有する材料から形成され得て、それによりワイヤ４９は使用による屈曲後に直立姿勢に戻る。
【００２８】
図１９は、管端処理工具のソケットの内部螺旋シムの等角図である。図１９は、ソケット６の内部の螺旋シム２６を例示するために役立つ。螺旋シム２６は、前述の通り、ソケット６の内部に案内される管の外部表面に対し優れた清掃作用を付与することが意外にも判明した角度で、カードクロス（図示せず）を保持する。図１９はまた、カードクロスがソケット６内で動くのを防ぐ止め具２７を例示している。
【００２９】
図２０は、管端処理工具のソケットの反対側の等角図である。図２１は、角度を付けられたカードクロス５０および螺旋シム２６を備える管端処理工具のソケット６の断面図である。図２１に見られるように、カードクロス８は、螺旋シム２６によって決定される通り、ある角度でソケット６の内部の円周の周囲に取り付けられる。図２０はまた、平滑面または粗面もしくは研磨性表面のどちらか一方を有し得る、面取り突出部５４を例示している。後者は、把持および清掃作用を助成する。
【００３０】
図２２は、１つのハンドルを備える管端処理工具の第２の実施形態の等角図である。図２２に見られるように、管端処理工具の代替実施形態は、クランク本体４２、管の外部端を清掃するための雌ソケット４０、および管の内部端を清掃するための雄ブラシ４４を備える。ソケット４０およびブラシ４４は整列しておらず、それは特定の状況において有用となり得る。図２２に例示された管端処理工具は、１つだけのハンドル４６を有しており、それは特定の例において好適となり得る。図２２では見えないが、ソケット４０およびブラシ４４の一方または両方は、同一または別個のラチェットギヤ機構に取り付けられており、前述の通り、使用者がクランク４２およびハンドル４６を往復動方式で操作することによって、ソケット４０およびブラシ４４が一方向にのみ回転することを可能にする。
【００３１】
図２３は、管端処理工具の雌ソケットに挿入用の三ブラシヘッダを備える本発明のさらなる実施形態の等角図である。図２３に見られるように、三重ブラシ組合せ６４は、ソケットに挿入される管の外部表面に清掃作用を付与するためにソケットの内部に取り付けられ得る。図２３は、クランク（図示せず）によって回転させられた時に、ブラシ６４の組の各々の底部でそれぞれのギヤ６６とかみ合い、それに応じてブラシを回転させる、管面取り部５４およびマスターギヤ６０を例示している。ブラシ６４の３個組は、カードクロスに代わり、特殊な清掃のために一部の例で好適となり得る。必ずしも３つのブラシではなく、任意の数のブラシが使用され得ることが理解されるであろう。ソケットの横断面は円形である必要はないことも理解されるであろう。それは、三角形または、ブラシに適応するいずれかの他の形状であり得る。
【００３２】
図２４は、図２３または図２５の三ブラシヘッダが嵌合するソケットの等角図である。図２４に見られるように、ソケット７０は、内部螺旋シム２６または管面取り部５４がまったく存在しない点を除き、図１９のソケット６と構成上類似である。従って、三ブラシ組合せ６４は、ソケット７０にきちんと嵌合し得る。キーまたはいずれかの他の固定装置が、ソケット７０においてブラシヘッダ組合せ６４を安定させるために使用され得る。
【００３３】
図２５は、回転ギヤを備えない三ブラシヘッダ７１の実施形態の等角図である。この実施形態に関し、３つのブラシ６４はソケット７０内で静止しており、外部管清掃作用は、ソケット７０（図２４を参照）を回転させることによって得られる。回転ギヤのないブラシヘッダ７１は、管端をブラシヘッダ７４の中心に維持する中心突出ガイド７３を有する。ガイド７３は、管の端の内部を清掃するテクスチャー加工表面を有し得る。
【００３４】
図２６は、脱着可能スタブアウトクリーニングキャップ（ｓｔｕｂ  ｏｕｔ  ｃｌｅａｎｉｎｇ  ｃａｐ）が取り付けられた管端処理工具のソケットの等角図である。図２７は、スタブアウトクリーニングキャップの平面図である。図２８は、図２７のＡ−Ａに沿って得られるスタブアウトクリーニングキャップの断面図である。
【００３５】
図２６に見られるように、スタブアウトキャップ７４は、ソケット６の自由端に被さり嵌合する。スタブアウトは、壁が壁張用材（ｗａｌｌｂｏａｒｄ、壁板）およびプラスターで仕上げられる前に配管が壁に据え付けられる場合に、配管工によって形成される突出パイプである。プラスターはスタブアウトの外部上に落滴する傾向があり、硬化後に拭き取ることが難しい。適切な場合、キャップ７４はソケット６の自由端にねじ込まれ得る。スタブアウトキャップ７４は、スタブの外部から硬化した泥およびプラスターを清掃するために使用され得るローレット切りされた、または粗面にされた表面７６を有する。キャップ７４はまた、スタブの外部から硬化したプラスターを拭き取る際に助成する歯付き内部ボア７８を有する。
【００３６】
上述の開示に照らして当業者には明白である通り、多くの変更および修正が、その精神または範囲を逸脱することなく本発明の実施において可能である。従って、本発明の範囲は、以下の請求項によって規定される内容に従って解釈されるべきである。
【図面の簡単な説明】
【００３７】
【図１】本発明に従った管端処理工具の第１の実施形態の等角図である。
【図２】管端処理工具のクランク部分の等角図である。
【図３】管端処理工具のクランクの平面図である。
【図４】管端処理工具のクランクの立面図である。
【図５】管端処理工具のクランクの端面図である。
【図６】管端処理工具のソケットの立面図である。
【図７】管端処理工具のソケットの側面図である。
【図８】管端処理工具のソケットの平面図である。
【図９】図８に図示されたソケットの断面図Ａ−Ａである。
【図１０】管端処理工具のブラシホルダの立面図である。
【図１１】管端処理工具のブラシホルダの側面図である。
【図１２】管端処理工具のブラシホルダの平面図である。
【図１３】図１２に図示されたブラシホルダの断面図Ａ−Ａである。
【図１４】管端処理工具の管ガイドキャップの立面図である。
【図１５】管端処理工具の管ガイドキャップの側面図である。
【図１６】管端処理工具の管ガイドキャップの平面図である。
【図１７】処理工具の管ガイドキャップの等角図である。
【図１８】管端処理工具の整列したソケットおよびブラシの第３の実施形態の断面図である。
【図１９】管端処理工具のソケットの内部螺旋シムの等角図である。
【図２０】管端処理工具のソケットの反対側の等角図である。
【図２１】角度を付けられたカードクロスおよび螺旋シムを備える管端処理工具のソケットの断面図である。
【図２２】１つのハンドルを備える管端処理工具の第２の実施形態の等角図である。
【図２３】管端処理工具の雌ソケットに挿入用の三ブラシヘッダを備える本発明の第４の実施形態の等角図である。
【図２４】図２３の三ブラシヘッダが嵌合するソケットの等角図である。
【図２５】ギヤを備えない三ブラシヘッダの実施形態の等角図である。
【図２６】脱着可能スタブアウトクリーニングキャップが取り付けられた管端処理工具のソケットの等角図である。
【図２７】スタブアウトクリーニングキャップの平面図である。
【図２８】図２７のＡ−Ａに沿って得られるスタブアウトクリーニングキャップの断面図である。
【符号の説明】
【００３８】
２  管端処理工具
４、４２  クランク
６、４０、７０  ソケット
８、５０  カードクロス
１０、４４、７２  ブラシ
１２  クランクハンドル
１４  シャフト
１８  ソケット開口
２０  ラチェットつめ
２２  シャフト開口
２４、３２  ラチェットギヤ
２６  螺旋シム
２７、３７  止め具
２８  取付ピン受け口
３０  ブラシホルダ
３４  取付ピン
３６  管ガイドキャップ
３８  内部螺旋シム
３９  開口
４６  ハンドル
４８  ソケット内部
４９  ワイヤ
５１  支持層
５４  面取り突出部
５８  ブラシ背骨
６０  マスターギヤ
６４  三ブラシ組合せ
６６  ギヤ
７１  ブラシヘッダ
７４  スタブアウトクリーニングキャップ
７６  ガイド
７８  歯付き内部ボア
【手続補正書】
【提出日】平成17年4月13日(2005.4.13)
【手続補正１】
【補正対象書類名】特許請求の範囲
【補正対象項目名】全文
【補正方法】変更
【補正の内容】
【特許請求の範囲】
【請求項１】
管端処理工具（２）であって、
（ａ）クランク（４）と、
（ｂ）クランク（４）と関係づけられており、ソケット（６）の内部に配設された複数の内方に突出するワイヤ（４９）を備える柔軟な脱着可能な支持層（８）を含む管外部清掃部材を有するソケット（６）と、
（ｃ）クランク（４）と関係づけられており、管の内部を清掃するために適しているブラシ（１０）と
を備え、
ソケット（６）は、その内部に、ソケット（６）の軸に対しある角度でワイヤ（４９）および支持層（８）を保持する螺旋シム（２６）を含む、
前記工具。
【請求項２】
クランクと回転式に関係づけられているハンドル（１２）を含む、請求項１記載の工具。
【請求項３】
支持層（８）は柔軟な織布である、請求項１記載の工具。
【請求項４】
支持層（８）はプラスチック、ゴムまたは金属である、請求項１記載の工具。
【請求項５】
ブラシ（１０）は背骨に取り付けられた剛毛を有する、請求項１記載の工具。
【請求項６】
ソケット（６）およびブラシ（１０）は、クランク（４）が往復動方式で動かされた時にソケットおよびブラシが一方向にのみ動かされることを可能にする少なくとも１つのラチェット機構（２０）と協働する、請求項１記載の工具。
【請求項７】
ハンドルは、ソケットおよびブラシから離れた場所でクランクの本体の各側に１つずつ取り付けられた１対の回転ハンドル（１２、１６）である、請求項２記載の工具。
【請求項８】
穴を備えるキャップ（３６）を含み、そのキャップはソケットの外部に嵌合され得る、請求項１記載の工具。
【請求項９】
ソケット（６）およびブラシ（１０）はクランク（４）の本体の両側で互いに整列されている、請求項１記載の工具。
【請求項１０】
ソケット（６）およびブラシ（１０）は互いに整列されていない、請求項１記載の工具。
【請求項１１】
ソケット（６）は、その内部に、管の端の内部を清掃するための面取り表面（ｃｈａｍｆｅｒ  ｓｕｒｆａｃｅ）（５４）を有する、請求項１記載の工具。
【請求項１２】
ソケット（６）はその内部に、クランクハンドル（４）に結合され、ギヤの組合せによって回転させられる少なくとも１つのブラシ（６４）を備える、請求項２記載の工具。
【請求項１３】
ソケットの閉端にラチェットギヤ（２０）を有しており、ラチェットギヤはクランクの開口内に嵌合し、その開口はラチェットギヤと協働するラチェットつめを有する、請求項６記載の工具。
【請求項１４】
ブラシをラチェットに取り付けるためのブラシホルダ（３０）を含む、請求項１３記載の工具。
【請求項１５】
ブラシホルダ（３０）は、クランクの開口内に嵌合するラチェットギヤを有する、請求項１４記載の工具。
【請求項１６】
ハンドル（１２）は、クランクに接続されているロッドに回転式に取り付けられている、請求項２記載の工具。
【請求項１７】
ソケット（６）はその内部に、クランク（４）に結合された少なくとも１つのブラシ（６４）を備えており、請求項２記載の工具。
【請求項１８】
面取り突出部（５４）の表面はテクスチャー加工されている、請求項１１記載の工具。
【請求項１９】
面取り突出部（５４）は、それに少なくとも１つの切削刃を有する、請求項１８記載の工具。
【請求項２０】
少なくとも１つのブラシのためにベースの中心領域に面取りした突出表面を備える、請求項１２記載の工具。
【請求項２１】
ソケットの螺旋シムは、突出ワイヤおよび支持層を所定の位置に保持するための止め具（ｓｔｏｐ）（２７）を有する、請求項１記載の工具。
【請求項２２】
キャップ（３６）はその内部に螺旋シムを有する、請求項８記載の工具。
【請求項２３】
螺旋シムは突出ワイヤおよび支持層を所定の位置に保持するための止め具（３７）を有する、請求項２２記載の工具。
【請求項２４】
ワイヤの表面は粗面または研磨性（ａｂｒａｓｉｖｅ、研磨剤、研削材）表面を有する、請求項１記載の工具。
【請求項２５】
支持層（８）は、記憶機能（ｍｅｍｏｒｙ）を有する、請求項１記載の工具。
【請求項２６】
ソケットの自由端に脱着可能に取り付けられ得るスタブアウトクリーニングキャップ（ｓｔｕｂ−ｏｕｔ  ｃｌｅａｎｉｎｇ  ｃａｐ）（７４）を含む、請求項１記載の工具。
【請求項２７】
スタブアウトクリーニングキャップ（７４）はそれに歯付き開口を有する、請求項２６記載の工具。
【請求項２８】
スタブアウトクリーニングキャップ（７４）は粗面または研磨性表面を有する、請求項２６記載の工具。
【手続補正２】
【補正対象書類名】明細書
【補正対象項目名】００３５
【補正方法】変更
【補正の内容】
【００３５】
図２６に見られるように、スタブアウトクリーニングキャップ７４は、ソケット６の自由端に被さり嵌合する。スタブアウトは、壁が壁張用材（ｗａｌｌｂｏａｒｄ、壁板）およびプラスターで仕上げられる前に配管が壁に据え付けられる場合に、配管工によって形成される突出パイプである。プラスターはスタブアウトの外部上に落滴する傾向があり、硬化後に拭き取ることが難しい。適切な場合、キャップ７４はソケット６の自由端にねじ込まれ得る。スタブアウトクリーニングキャップ７４は、スタブの外部から硬化した泥およびプラスターを清掃するために使用され得るローレット切りされた、または粗面にされた表面７６を有する。キャップ７４はまた、スタブの外部から硬化したプラスターを拭き取る際に助成する歯付き内部ボア７８を有する。
【手続補正３】
【補正対象書類名】図面
【補正対象項目名】図１１
【補正方法】変更
【補正の内容】
【図１１】
2006511351.tif 000031
【国際調査報告】
2006511351.tif 000032
2006511351.tif 000033
2006511351.tif 000034